【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
操作用の画像を投影面に投影する投影手段と、
前記投影面上に存在する所定の操作物体に関する情報を検出する物体検出手段と、
前記物体検出手段により検出された前記操作物体に関する情報に基づいて操作を検出する操作検出手段と、
前記投影手段により投影される画像の投影面上でのサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御手段と、を有することを特徴とする画像投影装置。
【請求項２】
前記制御手段は、前記投影される画像の投影面上でのサイズが大きくなるほど、前記操作用の画像の表示位置を前記投影面の側方および下方に表示させることを特徴とする請求項１に記載の画像投影装置。
【請求項３】
前記制御手段は、前記投影される画像の投影面上でのサイズが大きくなるほど、前記操作用の画像のサイズを小さくすることを特徴とする請求項１または２に記載の画像投影装置。
【請求項４】
前記物体検出手段は、前記投影手段が投影した画像を含む前記投影面を撮像した撮像画像を用いて前記操作物体を検出し、前記操作物体に関する情報を検出することを特徴とする請求項１から３のいずれか１項に記載の画像投影装置。
【請求項５】
前記制御手段は、前記投影面上に前記操作物体が予め定められた時間以上存在すると判定された場合に、前記表示位置およびサイズの決定を行うことを特徴とする請求項４に記載の画像投影装置。
【請求項６】
操作用の画像を投影面に投影する投影手段と、
前記投影面上に存在する所定の操作物体に関する情報を検出する物体検出手段と、
前記物体検出手段により検出された前記操作物体に関する情報に基づいて操作を検出する操作検出手段と、
前記物体検出手段により検出された前記操作物体のサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御手段と、を有することを特徴とする画像投影装置。
【請求項７】
前記制御手段は、前記操作物体のサイズが小さいほど、前記操作用の画像の表示位置を前記投影面の側方および下方に表示させることを特徴とする請求項６に記載の画像投影装置。
【請求項８】
前記制御手段は、前記操作物体のサイズが小さいほど、前記操作用の画像のサイズを小さくすることを特徴とする請求項６または７に記載の画像投影装置。
【請求項９】
前記物体検出手段は、前記投影手段が投影した画像を含む前記投影面を撮像した撮像画像を用いて前記操作物体を検出し、前記操作物体に関する情報を検出することを特徴とする請求項６から８のいずれか１項に記載の画像投影装置。
【請求項１０】
前記制御手段は、前記投影面に投影された画像上に前記操作物体が予め定められた時間以上存在すると判定された場合に、前記表示位置およびサイズの決定を行うことを特徴とする請求項９に記載の画像投影装置。
【請求項１１】
操作用の画像を投影面に投影する投影手段を有する画像投影装置の制御方法であって、
前記投影面上に存在する所定の操作物体に関する情報を検出する物体検出工程と、
前記物体検出工程により検出された前記操作物体に関する情報に基づいて操作を検出する操作検出工程と、
前記投影手段により投影される画像の投影面上でのサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御工程と、を有することを特徴とする画像投影装置の制御方法。
【請求項１２】
操作用の画像を投影面に投影する投影手段を有する画像投影装置の制御方法であって、
前記投影面上に存在する所定の操作物体に関する情報を検出する物体検出工程と、
前記物体検出工程により検出された前記操作物体に関する情報に基づいて操作を検出する操作検出工程と、
前記物体検出工程により検出された前記操作物体のサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御工程と、を有することを特徴とする画像投影装置の制御方法。
【手続補正２】
【補正対象書類名】明細書
【補正対象項目名】０００６
【補正方法】変更
【補正の内容】
【０００６】
上述の課題を解決するために、本発明の画像投影装置は、操作用の画像を投影面に投影する投影手段と、前記投影面上に存在する所定の操作物体に関する情報を検出する物体検出手段と、前記物体検出手段により検出された前記操作物体に関する情報に基づいて操作を検出する操作検出手段と、前記投影手段により投影される画像の投影面上でのサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御手段と、を有する。
【手続補正３】
【補正対象書類名】明細書
【補正対象項目名】０００７
【補正方法】変更
【補正の内容】
【０００７】
また、本発明の画像投影装置は、操作用の画像を投影面に投影する投影手段と、前記投影面上に存在する所定の操作物体に関する情報を検出する物体検出手段と、前記物体検出手段により検出された前記操作物体に関する情報に基づいて操作を検出する操作検出手段と、前記物体検出手段により検出された前記操作物体のサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御手段と、を有する。
【手続補正４】
【補正対象書類名】明細書
【補正対象項目名】０００８
【補正方法】変更
【補正の内容】
【０００８】
また、本発明の画像投影装置の制御方法は、操作用の画像を投影面に投影する投影手段を有する画像投影装置の制御方法であって、前記投影面上に存在する所定の操作物体に関する情報を検出する物体検出工程と、前記物体検出工程により検出された前記操作物体に関する情報に基づいて操作を検出する操作検出工程と、前記投影手段により投影される画像の投影面上でのサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御工程と、を有する。
【手続補正５】
【補正対象書類名】明細書
【補正対象項目名】０００９
【補正方法】変更
【補正の内容】
【０００９】
また、本発明の画像投影装置の制御方法は、操作用の画像を投影面に投影する投影手段を有する画像投影装置の制御方法であって、前記投影面上に存在する所定の操作物体に関する情報を検出する物体検出工程と、前記物体検出工程により検出された前記操作物体に関する情報に基づいて操作を検出する操作検出工程と、前記物体検出工程により検出された前記操作物体のサイズに応じて、前記投影面に投影する前記操作用の画像の表示位置及びサイズの少なくとも一方を決定し、前記決定した前記表示位置及びサイズの少なくとも一方に基づいて前記投影手段により投影される前記操作用の画像の表示位置及びサイズの少なくとも一方を制御する制御工程と、を有する。